(57)【要約】      （修正有）【課題】引出式扉の半開きを防止でき、かつ引出式扉を簡単に引き出せるスライド開閉機構及び冷蔵庫を提供する。【解決手段】冷蔵庫の引出式扉を、貯蔵室に対して全開にした全開位置と前記貯蔵室に対して全閉にした全閉位置との間で開閉方向に沿ってスライドさせるスライド開閉機構１００で、前記冷蔵庫本体側に設けられた固定レールと、収容ケース側に設けられ、前記引出式扉を支持するとともに、前記固定レール１に沿ってスライドする第１スライドフレーム３と、前記固定レール１と前記第１スライドフレーム３との間に介在し、前記固定レール１に沿ってスライドする第２スライドフレーム２と、前記第１スライドフレーム３に設けられた第１転動体と、前記固定レール１に設けられ、前記第１転動体に接触して、前記全開位置と前記全閉位置との間の半開き位置にある前記引出式扉を前記全閉位置に引き込む傾斜した引込面とを備えるスライド開閉機構を備える。【選択図】図２
2020118327.tif 000002
【特許請求の範囲】
【請求項１】
貯蔵室を有する冷蔵庫本体と前記貯蔵室に設けられる収容ケースとの間に設けられ、引出式扉を、前記貯蔵室に対して全開にした全開位置と前記貯蔵室に対して全閉にした全閉位置との間で開閉方向に沿ってスライドさせるスライド開閉機構であって、
前記冷蔵庫本体側に設けられた固定レールと、
前記収容ケース側に設けられ、前記引出式扉を支持するとともに、前記固定レールに沿ってスライドする第１スライドフレームと、
前記固定レールと前記第１スライドフレームとの間に介在し、前記固定レールに沿ってスライドする第２スライドフレームと、
前記第１スライドフレームに設けられた第１転動体と、
前記固定レールに設けられ、前記第１転動体に接触して、前記全開位置と前記全閉位置との間の半開き位置にある前記引出式扉を前記全閉位置に引き込む傾斜した引込面とを備えるスライド開閉機構。
【請求項２】
前記第２スライドフレームに設けられた第２転動体と、
前記固定レールに設けられ、前記第２転動体に接触して、前記第２スライドフレームを前記開閉方向の奥手側に引き込む傾斜した補助引込面と
をさらに備える請求項１に記載のスライド開閉機構。
【請求項３】
前記固定レールにおける前記補助引込面の前記奥手側の端部には、前記第２転動体の前記奥手側への移動を制限する弾性体から成るストッパが設けられている、請求項２に記載のスライド開閉機構。
【請求項４】
前記ストッパは、前記固定レールの側面の一部が前記収容ケース側に切り起こされて形成されたものである請求項３に記載のスライド開閉機構。
【請求項５】
前記固定レールにおける前記開閉方向の引手側の端部には、前記引手側に向かって下り勾配で傾斜する乗上面が形成されている請求項１〜４のいずれか１項に記載のスライド開閉機構。
【請求項６】
前記固定レールには、前記第１スライドフレームをスライド可能に支持するガイドローラが設けられており、
前記第１スライドフレームには、前記ガイドローラに接触する、下方向に面する被ガイド面が設けられており、
前記被ガイド面は、前記開閉方向の引手側の端部において、前記開閉方向の奥手側に向かって下り勾配で傾斜する傾斜面を含む、請求項１〜５のいずれか１項に記載のスライド開閉機構。
【請求項７】
前記第１スライドフレームが補助転動体を備え、
前記第２スライドフレームが、前記補助転動体を前記開閉方向に沿って誘導する補助ガイド面と、前記補助ガイド面における前記開閉方向の奥手側端部に設けられ、前記補助転動体と接触する当接部とを備える請求項１〜６のいずれか１項に記載のスライド開閉機構。
【請求項８】
前記固定レールに対して前記第１スライドフレームを前記開閉方向の引手側に所定距離以上スライドさせた状態において、
前記第１スライドフレームが、前記第２スライドフレームに対して、前記引手側に向かって下り勾配で傾斜するように構成された請求項１〜７のいずれか１項に記載のスライド開閉機構。
【請求項９】
前記補助転動体を複数備え、前記複数の補助転動体の中心を結ぶ線と、前記第２スライドフレームの補助ガイド面とが交差するように構成されている、請求項７に記載のスライド開閉機構。
【請求項１０】
請求項１〜９のいずれか１項に記載のスライド開閉機構を備える冷蔵庫。
【発明の詳細な説明】
【技術分野】
【０００１】
本発明は、引き出し式の扉を開閉するためのスライド開閉機構及びこれを備える冷蔵庫に関するものである。
【背景技術】
【０００２】
従来、引き出し式の扉（以下、引出式扉）を有する冷蔵庫としては、前面開口部を有する貯蔵室が形成された冷蔵庫本体と、前面開口部を開閉する引出式扉と、引出式扉とともに移動する収容ケースと、冷蔵庫本体と収容ケースとの間に設けられ、引出式扉をスライドして開閉させるスライド開閉機構と、を備えたものがある。スライド開閉機構は、貯蔵室を形成する冷蔵庫の本体の側壁に固定される固定レールと、収容ケース側に設けられ、引出式扉及び収容ケースを支持しながら、固定レールに沿ってスライド移動するスライドフレームとを備えている。
【０００３】
このような引出式扉を有する冷蔵庫では、引出式扉の半開きを防止するため引出式扉を自動的に閉じる自閉機構を備えるものがある。このような自閉機構として、例えば特許文献１には、引出式扉の開閉方向の奥手側から、引張コイルバネの復元力によってスライドフレームを引き込むことにより、引出式扉の半開きを防止するものが開示されている。
【先行技術文献】
【特許文献】
【０００４】
【特許文献１】特開２００９−２７０７７１号公報
【発明の概要】
【発明が解決しようとする課題】
【０００５】
しかしながら、上記したような引張コイルバネを用いて引出式扉の半開きを防止するものでは、引出式扉を引き出す際には引張コイルバネの復元力が抵抗となり、しかもこの復元力は引出式扉を引出すにつれて大きくなるので、引出式扉の引出動作が重たくなってしまうという問題がある。特にスライド開閉機構が多段のスライドフレームを備えるような大型の冷蔵庫では、このような問題が顕著になる。
【０００６】
そこで本発明は、多段に構成されたスライドフレームを備えるものにおいて、引出式扉の半開きを防止でき、かつ引出式扉を簡単に引き出すことができるスライド開閉機構及びこれを備える冷蔵庫を提供することを主たる課題とするものである。
【課題を解決するための手段】
【０００７】
すなわち本発明に係るスライド開閉機構は、貯蔵室を有する冷蔵庫本体と前記貯蔵室に設けられる収容ケースとの間に設けられ、引出式扉を、前記貯蔵室に対して全開にした全開位置と前記貯蔵室に対して全閉にした全閉位置との間で開閉方向に沿ってスライドさせるものであって、前記冷蔵庫本体側に設けられた固定レールと、前記収容ケース側に設けられ、前記引出式扉を支持するとともに、前記固定レールに沿ってスライドする第１スライドフレームと、前記固定レールと前記第１スライドフレームとの間に介在し、前記固定レールに沿ってスライドする第２スライドフレームと、前記第１スライドフレームに設けられた第１転動体と、前記固定レールに設けられ、前記第１転動体に接触して、前記全開位置と前記全閉位置との間の半開き位置にある前記引出式扉を前記全閉位置に引き込む傾斜した引込面とを備えることを特徴とする。
【０００８】
このような構成であれば、スライド開閉機構が、第１スライドフレームに設けられた第１転動体と、第１転動体に接触して半開き位置にある引出式扉を全閉位置に引き込む傾斜した引込面とを備えるので、引出式扉が半開き位置にある場合には、第１転動体が引込面上を転がることにより第１スライドフレームがスライド移動し、引出式扉が全閉位置に引き込まれる。その結果、引出式扉の半開きを防止することができる。
またスライド開閉機構は、固定レールと第１スライドフレームとの間に介在する第２スライドフレームを有する多段型のものであるので、大容量の収容ケースを備える大型冷蔵庫に対して好適に用いることができる。
しかも、バネの復元力ではなく引込面の傾斜を利用して自重により引出式扉を引き込むように構成しているので、引出式扉を引き出すにつれて重たくなることはなく、引出式扉を簡単に引き出すことができる。
なお、本発明で言う「半開き位置」とは、引出式扉が、全閉位置からわずかに開いた位置を意味し、例えば、引出式扉が、全閉位置から０ｃｍ超、約３ｃｍ以下の範囲で引き出された位置を意味する。
【０００９】
前記スライド開閉機構は、前記第２スライドフレームに設けられた第２転動体と、前記固定レールに設けられ、前記第２転動体に接触して、前記第２スライドフレームを前記開閉方向の奥手側に引き込む傾斜した補助引込面とをさらに備えることが好ましい。
このようなものであれば、引出式扉を閉める際に、第２転動体が補助引込面に接触する位置にあれば、第２スライドフレームが奥手側に引込まれるようにスライド移動するので、第１スライドフレームのスライド移動に対する抵抗力が小さくなり、半開き位置にある引出式扉を全閉位置により確実に引き込むことができる。
【００１０】
前記スライド開閉機構は、前記固定レールにおける前記補助引込面の前記奥手側の端部に、前記第２転動体の前記奥手側への移動を制限する弾性体から成るストッパが設けられていることが好ましい。
このようなものであれば、第２転動体を止めるストッパが弾性体から成るので、第２スライドフレームが奥手側に引き込まれた際に、ストッパが第２転動体の運動エネルギーを吸収することにより第２転動体の引手側への跳ね返りを防止できる。これにより、引出式扉の半開きをより確実に防止できる。
【００１１】
前記ストッパの態様として、前記固定レールの側面の一部が前記収容ケース側に切り起こされて形成されたものを挙げることができる。
【００１２】
前記スライド開閉機構は、前記固定レールにおける前記開閉方向の引手側の端部には、前記引手側に向かって下り勾配で傾斜する乗上面が形成されていることが好ましい。
このようなものであれば、引出式扉を全開位置から閉める際に第１転動体を第１主ガイド面上にスムーズに載せることができ、小さな力で引出式扉を閉めることができる。
【００１３】
前記固定レールには、前記第１スライドフレームをスライド可能に支持するガイドローラが設けられており、前記第１スライドフレームには、前記ガイドローラに接触する、下方向に面する被ガイド面が設けられており、前記被ガイド面は、前記開閉方向の引手側の端部において、前記開閉方向の奥手側に向かって下り勾配で傾斜する傾斜面を含むことが好ましい。
このようなものであれば、第１スライドフレームは、被ガイド面とガイドローラを介して固定レールに沿ってスライド移動するので、より安定して開閉方向にスライド移動することができる。また、前記した引込面は傾斜しており、引出式扉が全閉位置にある際に第１転動体が引込面に落ち込んだ状態となるが、被ガイド面が開閉方向の引手側の端部において開閉方向の奥手側に向かって下り勾配で傾斜するように形成されているので、引出式扉が全閉位置にある際に第１スライドフレームの傾きを水平に近づけることができ、これにより収容ケースの傾きを抑制することができる。
【００１４】
前記スライド開閉機構は、前記第１スライドフレームが補助転動体を備え、前記第２スライドフレームが、前記補助転動体を前記開閉方向に沿って誘導する補助ガイド面と、前記補助ガイド面における前記開閉方向の奥手側端部に設けられ、前記補助転動体と接触する当接部とを備えることが好ましい。
このようなものであれば、引出式扉を閉める際には、第１スライドフレームの補助転動体が第２スライドフレームの当接部に接触することで、第１スライドフレームが第２スライドフレームを奥手側に向かって押し込むようにして引出式扉を閉めることができる。
【００１５】
前記スライド開閉機構は、前記固定レールに対して前記第１スライドフレームを前記開閉方向の引手側に所定距離以上スライドさせた状態において、前記第１スライドフレームが、前記第２スライドフレームに対して、前記引手側に向かって下り勾配で傾斜するように構成されていることが好ましい。
このようなものであれば、引出式扉をある程度引き出すと、第１スライドフレームが、第２スライドフレームに対して引手側に向かって下り勾配で傾斜するので、引出式扉を小さな力で引き出すことができるようになる。
このようなものの具体的な態様として、前記補助転動体を複数備え、前記複数の補助転動体の中心を結ぶ線と、前記第２スライドフレームの補助ガイド面とが交差するように構成されているものを挙げることができる。
【００１６】
また本発明に係る冷蔵庫は、前記したスライド開閉機構を冷蔵庫本体と収容ケースとの間に備えることを特徴とする。
【発明の効果】
【００１７】
このように構成した本発明によれば、引出式扉の半開きを防止でき、かつ引出式扉を簡単に引き出すことができる冷蔵庫を提供することができる。
【図面の簡単な説明】
【００１８】
【図１】本実施形態における冷蔵庫の全体構成を概略的に示す図。
【図２】同実施形態のスライド開閉機構の全体構成を概略的に示す斜視図。
【図３】同実施形態の固定レールの構成を概略的に示す斜視図及び平面図。
【図４】図３のＡ〜Ｃ部の拡大図。
【図５】同実施形態の第２スライドフレームの構成を概略的に示す斜視図及び平面図。
【図６】同実施形態の第１スライドフレームの構成を概略的に示す斜視図及び平面図。
【図７】同実施形態の引出式扉の引出時におけるスライド開閉機構の動作を説明する図。
【図８】同実施形態の引出式扉の押込時におけるスライド開閉機構の動作を説明する図。
【図９】同実施形態の引込機構による引出式扉の引込動作を説明する図。
【図１０】同実施形態の引込機構による引出式扉の引込動作を説明する図。
【発明を実施するための形態】
【００１９】
以下に本発明の一実施形態に係る冷蔵庫２００について図面を参照して説明する。なお、以下に説明する冷蔵庫２００は、本発明の技術的思想を具体化するためのものであって、特定的な記載がない限り、本発明を以下のものに限定しない。また、一の実施形態において説明する内容は、他の実施形態にも適用可能である。また、各図面が示す部材の大きさや位置関係などは、説明を明確にするため誇張していることがある。また説明を簡略にするため、各図面において一部の部材（引出式扉Ｄ、冷蔵庫本体Ｂ等）を省略していることがある。
【００２０】
＜装置構成＞
本実施形態の冷蔵庫２００は、図１に示すように、前面開口部Ｏを有する貯蔵室Ｓが形成された冷蔵庫本体Ｂと、前面開口部Ｏを開閉する引出式扉Ｄと、引出式扉Ｄとともに移動する収容ケースと、冷蔵庫本体Ｂと収容ケースとの間に設けられ、引出式扉Ｄをスライドさせる一対のスライド開閉機構１００とを少なくとも備えている。なお一対のスライド開閉機構１００は、冷蔵庫本体Ｂの左右の内側壁に対称に設けられているので、以下においては一方のスライド開閉機構１００についてのみ説明し、他方のスライド開閉機構１００についての説明を省略する。
【００２１】
スライド開閉機構１００は、引出式扉Ｄを、貯蔵室Ｓに対して全閉にした全閉位置Ｐと、貯蔵室Ｓに対して全開にした全開位置Ｑとの間で開閉方向に沿ってスライドさせるものである。このスライド開閉機構１００は２つのスライドフレームを備える３段引きタイプのものである。具体的には図２に示すように、冷蔵庫本体Ｂ側に固定して設けられた固定レール１と、収容ケース側に設けられた第１スライドフレーム３と、第１スライドフレーム３と固定レール１との間に介在するように設けられた第２スライドフレーム２とを備えている。固定レール１は引出式扉Ｄの開閉方向に沿って設けられており、第１スライドフレーム３及び第２スライドフレーム２は固定レール１に沿ってスライド可能に構成されている。なお、引出式扉Ｄと収容ケースは第１スライドフレーム３によって支持され、第１スライドフレーム３とともにスライド移動するように構成されている。また本実施形態において、全閉位置Ｐと全開位置Ｑとの間の距離は約５０ｃｍであり、引出式扉Ｄは、開閉方向に沿って０ｃｍ以上、約５０ｃｍ以下の範囲でスライド移動できるように構成されている。以下に、スライド開閉機構１００を構成する各部について説明する。
【００２２】
固定レール１は、図３に示すように、開閉方向である長手方向に沿って延びる板状をなすものである。固定レール１の一方の側面１１は冷蔵庫本体Ｂの側壁に固定して取り付けられる。他方の側面１２には、第１スライドフレーム３を開閉方向に沿って誘導する第１ガイド部１３と、第２スライドフレーム２を開閉方向に沿って誘導する第２ガイド部１４とが設けられている。
【００２３】
第１ガイド部１３は、後述する第１スライドフレーム３の第１転動体３２が接触する第１ガイド面１３１と、第１スライドフレーム３の被ガイド面３１と接触するガイドローラ１３２とを備える。
【００２４】
第１ガイド面１３１は、冷蔵庫本体Ｂの側壁に垂直な方向に平行な平面であり、開閉方向に沿って延びるように、固定レール１における下部に形成されている。第１ガイド面１３１は、引出式扉Ｄの開閉動作時において第１転動体３２と主に接する第１主ガイド面１３１ａと、全開位置Ｑにある引出式扉Ｄを閉める際に、第１転動体３２を固定レール１上に乗り上げるための乗上面１３１ｂとを含む。なお、第１ガイド面１３１は上方向に面するように形成されている。
【００２５】
図３及び図４の（ａ）に示すように、第１主ガイド面１３１ａが開閉方向の奥手側に向かって下り勾配で傾斜するように、固定レール１は冷蔵庫本体Ｂに対して若干の傾きを有して取り付けられる。一方で、乗上面１３１ｂは、開閉方向の引手側に向かって下り勾配で傾斜するように形成されている。乗上面１３１ｂは、開閉方向に沿って第１主ガイド面１３１ａよりも引手側に設けられている。具体的には、第１主ガイド面１３１ａの引手側の端部から、固定レール１の引手側の端部にかけて設けられている。
【００２６】
第１ガイド部１３の奥手側の端部には、第１スライドフレーム３の奥手側への移動を制限する、弾性体からなるストッパ１３３が設けられている。このストッパ１３３は側面１２から突起するように形成されており、第１ガイド面１３１上を転がってくる第１転動体３２に接触して、これを停止させる。
【００２７】
ガイドローラ１３２は固定レール１の引手側端部の上部に設けられて、第１スライドフレーム３をスライド可能に支持する。ガイドローラ１３２は、冷蔵庫本体Ｂの側壁と垂直な回転軸を有する、例えばベアリングローラ等である。
【００２８】
第２ガイド部１４は、後述する第２スライドフレーム２の第２転動体２２が接触する第２ガイド面１４１を備えている。
【００２９】
第２ガイド面１４１は、冷蔵庫本体Ｂの側壁に垂直な方向に平行な平面であり、開閉方向に沿って延びるように、固定レール１が冷蔵庫本体Ｂに取り付けられている。第２ガイド面１４１は、引出式扉Ｄの開閉動作時において第２転動体２２と主に接する第２主ガイド面１４１ａを含む。なお、第２ガイド面１４１は、上方向に面するように形成されている。
【００３０】
第２ガイド部１４の、開閉方向に沿った両端には、第２スライドフレーム２の開閉方向への移動を制限する２つのストッパ１４２、１４３が設けられている。ストッパ１４２、１４３はそれぞれ弾性体からなるものであり、側面１２から突起するように形成されており、第２ガイド面１４１上を転がる第２転動体２２に接触して、これを停止させる。ストッパ１４３は、固定レール１の側面１２の一部が収容ケースＣ側に切り起こされて形成されたものである。
【００３１】
第２スライドフレーム２は、図５に示すように、開閉方向である長手方向に沿って延びるものである。第２スライドフレーム２には、第１スライドフレーム３を開閉方向に沿って誘導する補助ガイド部２１と、第２ガイド面１４１上を転がる第２転動体２２が設けられている。
【００３２】
補助ガイド部２１は、第１スライドフレーム３の補助転動体が接触する補助ガイド面２１１を備える。補助ガイド面２１１は、冷蔵庫本体Ｂの側壁に垂直な方向に平行な平面であり、開閉方向に沿って延びるように形成されている。補助ガイド面２１１は上方向を面するように形成されている。
【００３３】
補助ガイド部２１の開閉方向に沿った両端部には、補助転動体と接触する第１当接部２１２及び第２当接部２１３が設けられている。第１当接部２１２及び第２当接部２１３はいずれも、補助ガイド面２１１上に突起するように形成されている。第１当接部２１２は、補助ガイド部２１の奥手側端部に設けられ、補助ガイド面２１１上を奥手側に向かって転がってくる第１補助転動体３３に接触してこれを停止させる。第２当接部２１３は、引手側端部に設けられ、補助ガイド面２１１上を引手側に向かって転がってくる第２補助転動体３４に接触してこれを停止させる。
【００３４】
第２転動体２２は、第２スライドフレーム２の奥手側端部の下部に設けられており、冷蔵庫本体Ｂの側壁と垂直な回転軸を有する、例えばベアリングローラ等である。
【００３５】
第１スライドフレーム３は、図６に示すように開閉方向である長手方向に沿って延びる板状のものである。第１スライドフレーム３には、固定レール１のガイドローラ１３２に接触する被ガイド面３１と、固定レール１の第１ガイド面１３１に接触する第１転動体３２と、第２スライドフレーム２の補助ガイド面２１１に接触する第１補助転動体３３及び第２補助転動体３４とが設けられている。
【００３６】
被ガイド面３１は、冷蔵庫本体Ｂ側の一方の側面の上端部において、下方向に面するように設けられている。被ガイド面３１は、具体的には、冷蔵庫本体Ｂの側壁に垂直な方向に平行な平面であり、開閉方向に沿って延びるように形成されている。
【００３７】
第１転動体３２、第１補助転動体３３及び第２補助転動体３４は、いずれも冷蔵庫本体Ｂの側壁と垂直な回転軸を有する、例えばベアリングローラ等である。第１転動体３２は、第１スライドフレーム３の下端部に設けられている。第１補助転動体３３及び第２補助転動体３４は、第１転動体３２よりも奥手側であって、第１転動体３２よりも上方に設けられている。第１補助転動体３３は、第２補助転動体３４よりも奥手側に設けられている。
【００３８】
しかして本実施形態の冷蔵庫２００は、スライド開閉機構１００が、全閉位置Ｐと全開位置Ｑとの間の半開き位置Ｒにある引出式扉Ｄを全閉位置Ｐに引き込む引込機構４を備えている。具体的にこの引込機構４は、第１スライドフレーム３に設けられた第１転動体３２と、固定レール１に設けられ、第１転動体３２に接触して半開き位置Ｒにある引出式扉Ｄを全閉位置Ｐに引き込む傾斜した引込面４１とを備えて構成される。なお、半開き位置Ｒとは、引出式扉Ｄが、全閉位置Ｐから０ｃｍ超、約３ｃｍ以下の範囲で引き出された位置を意味する。
【００３９】
この引込面４１は、冷蔵庫本体Ｂの側壁に垂直な方向に平行な平面であり、開閉方向に沿って延びるように第１ガイド面１３１に形成されている。引込面４１は、図４の（ｂ）に示すように、開閉方向に沿って第１主ガイド面１３１ａよりも奥手側に設けられている。引込面４１は、第１主ガイド面１３１ａの開閉方向の奥手側の端部からストッパ１３３にかけて連続して形成されている。引込面４１は、開閉方向の奥手側に向かって下り勾配で傾斜するように固定レール１に形成された傾斜面である。引込面４１は、第１主ガイド面１３１ａに対して、開閉方向の奥手側に向かって下向きに傾斜するように形成されている。具体的に引込面４１は、第１転動体３２に付加される荷重によって、第１スライドフレーム３が開閉方向に沿って奥手側に引き込まれるように、その下り勾配角度（すなわち水平面と引込面４１とが成す角度）が設定されている。ここでは、下り勾配角度が３°以上になるように形成されている。
【００４０】
本実施形態のスライド開閉機構１００はまた、第２スライドフレーム２を開閉方向に沿って奥手側に引き込む補助引込機構５を更に備える。具体的にこの補助引込機構５は、第２スライドフレーム２に設けられた第２転動体２２と、固定レール１に設けられ、第２転動体２２に接触して第２スライドフレーム２を奥手側に引き込む補助引込面５１とを備えている。
【００４１】
補助引込面５１は、冷蔵庫本体Ｂの側壁に垂直な方向に平行な平面であり、開閉方向に沿って延びるように第２ガイド面１４１に形成されている。補助引込面５１は、図３に示すように、開閉方向に沿って第２主ガイド面１４１ａよりも奥手側に設けられている。より具体的には補助引込面５１は、第２主ガイド面１４１ａの開閉方向の奥手側の端部からストッパ１４３にかけて連続して形成されている。補助引込面５１は、開閉方向の奥手側に向かって下り勾配で傾斜するように形成された傾斜面である。図４の（ｃ）に示すように、補助引込面５１は、第２主ガイド面１４１ａに対して、開閉方向の奥手側に向かって下向きに傾斜するように形成されている。具体的に補助引込面５１は、第２転動体２２に付加される荷重によって、第２スライドフレーム２が開閉方向に沿って奥手側に引き込まれるように、その下り勾配角度（すなわち水平面と補助引込面５１とが成す角度）が設定されている。ここでは、下り勾配角度が３°以上になるように形成されている。
【００４２】
引込面４１と補助引込面５１は、それぞれの開閉方向に沿った長さ及び下り勾配角度が等しくなるように形成されている。引込面４１及び補助引込面５１の開閉方向に沿った長さは、４ｃｍ以上６ｃｍ以下であることが好ましい。また、引込面４１及び補助引込面５１は、開閉方向に沿ったそれぞれの引手側の端部間の距離（すなわち、第１主ガイド面１３１ａと引込面４１との境界と、第２主ガイド面１４１ａと補助引込面５１との境界との、開閉方向に沿った距離が）が、引出式扉Ｄが全閉位置Ｐにある状態における第１転動体３２と第２転動体２２との間の距離と等しくなるように形成されている。
【００４３】
本実施形態のスライド開閉機構１００はまた、第１スライドフレーム３の被ガイド面３１が、開閉方向の奥手側に向かって下り勾配で傾斜するように形成された傾斜面３１ａを含む。この傾斜面３１ａは、被ガイド面３１における開閉方向の引手側の端部に設けられている。
【００４４】
傾斜面３１ａと引込面４１は、それぞれの開閉方向に沿った長さ及び下り勾配角度が等しくなるように形成されている。また、傾斜面３１ａ及び引込面４１は、第１転動体３２と、傾斜面３１ａの奥手側の端部との間の開閉方向に沿った距離が、ガイドローラ１３２と、引込面４１の引手側の端部との間の開閉方向に沿った距離とが等しくなるように、それぞれ形成されている。
【００４５】
また、本実施形態の冷蔵庫２００は、固定レール１に対して第１スライドフレーム３を引手側に所定距離以上スライドさせた状態において、第１スライドフレーム３が、第２スライドフレーム２に対して、引手側に向かって下方向に傾斜するように構成されている。具体的には、固定レール１に対して第１スライドフレーム３を引手側に所定距離以上スライドさせて、第１転動体３２が第１ガイド面１３１の引手側端部よりも引手側に位置する状態において、第１補助転動体３３と第２補助転動体３４のそれぞれの中心を結ぶ線が、補助ガイド面２１１に対して、引手側に向かって下方向に傾斜するように構成されている。
【００４６】
次に、以上のように構成した本実施形態の冷蔵庫２００の引出式扉Ｄを全閉位置Ｐと全開位置Ｑとの間でスライド移動させる際におけるスライド開閉機構１００の動作について説明する。なお説明の簡略化のため、スライド開閉機構１００のみを図示し、他の部材を省略している。
【００４７】
＜引出動作＞
まず、全閉位置Ｐにある引出式扉Ｄを全開位置Ｑまで引き出す動作について説明する。図７の（ａ）に示すように引出式扉Ｄが全閉位置Ｐにある状態において、第１転動体３２は第１ガイド面１３１の奥手側端部においてストッパ１３３に接触するように位置し、第２転動体２２は補助引込面５１の奥手側の端部においてストッパ１４３に接触するように位置し、第１補助転動体３３は補助ガイド面２１１の奥手側の端部において第１当接部２１２に接触するように位置している。
【００４８】
引出式扉Ｄを引手側に引き出すと、第２スライドフレーム２よりも先に、第１スライドフレーム３が開閉方向の引手側に向かってスライド移動する。第１スライドフレーム３がスライド移動を開始してから、第２補助転動体３４が補助ガイド面２１１の引手側の端部において第２当接部２１３に接触するまでの間、第２スライドフレーム２はスライド移動をせず、第１スライドフレーム３のみが引手側に向かってスライド移動する（図７の（ｂ））。
【００４９】
第２補助転動体３４が補助ガイド面２１１の引手側の端部において第２当接部２１３に接触した後引出式扉Ｄを更に引き出すと、第２当接部２１３に接触する第２補助転動体３４によって引き出されるようにして、第２スライドフレーム２が引手側にスライド移動する。その後、第１スライドフレーム３と第２スライドフレーム２が固定レール１に対して引手側にスライド移動して、引出式扉Ｄは全開位置Ｑまで引き出される。この状態において、第２補助転動体３４は補助ガイド面２１１の引手側の端部において第２当接部２１３に接触するように位置し、第２転動体２２は補助引込面５１の引手側の端部においてストッパ１４２に接触するように位置している（図７（ｃ）。
【００５０】
＜押込動作＞
次に、全開位置Ｑにある引出式扉Ｄを全閉位置Ｐまで押し込む動作について説明する。
図８の（ａ）に示すように引出式扉Ｄが全開位置Ｑにある状態において、引出式扉Ｄを奥手側に押し込むと、第２スライドフレーム２よりも先に、第１スライドフレーム３が開閉方向の奥手側に向かってスライド移動する。第１スライドフレーム３がスライド移動を開始してから、第１補助転動体３３が補助ガイド面２１１の奥手側の端部において第１当接部２１２に接触するまでの間、第２スライドフレーム２はスライド移動をせず、第１スライドフレーム３のみが奥手側に向かってスライド移動する（図８の（ｂ））。
【００５１】
第１補助転動体３３が補助ガイド面２１１の奥手側の端部において第１当接部２１２に接触した後引出式扉Ｄを更に押し込むと、第１当接部２１２に接触する第１補助転動体３３によって押し込まれるようにして、第２スライドフレーム２が奥手側にスライド移動する。その後、第１スライドフレーム３と第２スライドフレーム２が共に固定レール１に対して奥手側にスライド移動して、引出式扉Ｄは全閉位置Ｐまで押し込まれる（図８の（ｃ））。
【００５２】
次に、スライド開閉機構１００が備える引込機構４による引出式扉Ｄの引込動作について説明する。
＜引出時の引込動作＞
使用者が全閉位置Ｐにある引出式扉Ｄを少しだけ引き出して半開き位置Ｒにすると、第１転動体３２が引込面４１の引手側に接触して位置するようになる（図９の（ａ））。ここで、第２スライドフレーム２は移動せず、第１スライドフレーム３のみが引手側にスライド移動している。この状態で使用者が引出式扉Ｄから手を離すと、第１転動体３２は、第１スライドフレーム３や引出式扉Ｄ等から付加される荷重によって引込面４１に沿って開閉方向の奥手側に向かって転がり、引込面４１の奥手側の端部においてストッパ１３３に接触して停止する（図９の（ｂ））。このようにして、半開き位置Ｒにあった引出式扉Ｄが全閉位置Ｐまで引き込まれ、半開きが防止される。
【００５３】
＜押込時の引込動作＞
使用者が全開位置Ｑにある引出式扉Ｄを奥手側に押込むと、第１スライドフレーム３が、第２スライドフレーム２を押しながら開閉方向の奥手側にスライド移動する。使用者が引出式扉Ｄを半開き位置Ｒまで押し込むと、第１転動体３２が引込面４１の引手側に接触して位置するとともに、第２転動体２２が補助引込面５１の引手側に接触して位置するようになる（図１０の（ａ））。この状態で使用者が引出式扉Ｄから手を離すと、第１転動体３２は、第１スライドフレーム３や引出式扉Ｄ等から付加される荷重によって引込面４１に沿って開閉方向の奥手側に向かって転がり、引込面４１の奥手側の端部においてストッパ１３３に接触して停止する（図１０の（ｂ））。これと同時に、第２転動体２２は、第２スライドフレーム２や第１スライドフレーム３等から付加される荷重によって補助引込面５１に沿って開閉方向の奥手側に向かって転がり、補助引込面５１の奥手側の端部においてストッパ１４３に接触して停止する。このようにして、半開き位置Ｒにあった引出式扉Ｄが全閉位置Ｐまで引き込まれ、半開きが防止される。
【００５４】
＜本実施形態の効果＞
このように構成した本実施形態の冷蔵庫２００によれば、スライド開閉機構１００が、第１スライドフレーム３に設けられた第１転動体３２と、第１転動体３２に接触して半開き位置Ｒにある引出式扉Ｄを全閉位置Ｐに引き込む傾斜した引込面４１とを備えるので、引出式扉Ｄが半開き位置Ｒにある場合には、第１転動体３２が引込面４１上を転がることにより第１スライドフレーム３がスライド移動し、引出式扉Ｄが全閉位置Ｐに引き込まれる。またスライド開閉機構１００は、固定レール１と第１スライドフレーム３との間に介在する第２スライドフレーム２を有する多段型のものであるので、大容量の収容ケースＣを備える大型冷蔵庫に対して好適に用いることができる。その結果、引出式扉Ｄの半開きを防止することができる。しかも、バネの復元力ではなく引込面４１の傾斜を利用して自重により引出式扉Ｄを引き込むように構成しているので、引出式扉Ｄを引き出すにつれて重たくなることはなく、引出式扉Ｄを簡単に引き出すことができる。
【００５５】
＜その他の変形実施形態＞
なお、本発明は前記実施形態に限られるものではない。
【００５６】
前記実施形態のスライド開閉機構１００は、冷蔵庫本体Ｂの左右の内側壁と収容ケースとの間に設けられていたがこれに限らない。他の実施形態ではスライド開閉機構１００は冷蔵庫本体Ｂの底面と収容ケースとの間に設けられていてもよい。
【００５７】
その他、本発明の趣旨に反しない限りにおいて、様々な実施形態の変形や組合せを行っても構わない。
【符号の説明】
【００５８】
２００・・・冷蔵庫
１００・・・スライド開閉機構
１  ・・・固定レール
２  ・・・第２スライドフレーム
３  ・・・第１スライドフレーム
３２・・・第１転動体
４  ・・・引込機構
４１・・・引込面
Ｂ・・・冷蔵庫本体
Ｓ・・・貯蔵室
Ｄ・・・引出式扉
Ｃ・・・収容ケース
全閉位置・・・Ｐ
全開位置・・・Ｑ
半開き位置・・・Ｒ
【図１】
2020118327.tif 000003
【図２】
2020118327.tif 000004
【図３】
2020118327.tif 000005
【図４】
2020118327.tif 000006
【図５】
2020118327.tif 000007
【図６】
2020118327.tif 000008
【図７】
2020118327.tif 000009
【図８】
2020118327.tif 000010
【図９】
2020118327.tif 000011
【図１０】
2020118327.tif 000012